(57)【要約】 【課題】  蓋付き容器において、蓋体を容器本体に簡単に着脱自在に固定できるようにする。【解決手段】  容器本体１は、非磁性体性材料から横断面が非円形状の筒形に形成され、一方の端面側から収納凹部５を有する。容器本体１は、端面側に１個以上のマグネット部９ａ、９ｂを外形角部近傍に固定している。蓋体１１は、容器本体１と同じ横断面が非円形状の筒形に形成されている。蓋体１１は、収納凹部５を覆って一方の端面を容器本体１に当接するようにして被せられたとき、容器本体１の外形に揃う位置でマグネット部９ａ、９ｂに吸着する強磁性体の吸着部１７ａ、１７ｂを有し、着脱可能に容器本体１に被せられる。【選択図】  図１
2010116187.tif 000002
【特許請求の範囲】
【請求項１】
非磁性体性材料から横断面が非円形の筒形に形成された容器本体であって、一方の端面側から形成された収納凹部を有し、前記端面側に１個以上のマグネット部が固定された容器本体と、
横断面が非円形の筒形に形成された蓋体であって、前記収納凹部を覆って一方の端面を前記容器本体に当接するようにして被せられたとき、前記容器本体の外形に揃う位置で前記マグネット部に吸着する強磁性体の吸着部が固定され、着脱可能に前記収納凹部を覆う蓋体と、
を具備することを特徴とする蓋付き容器。
【請求項２】
前記容器本体および前記蓋体は、角柱状に形成された請求項１記載の蓋付き容器。
【請求項３】
前記マグネット部および前記吸着部は、双方の前記端面側において、外形角部近傍に固定された請求項２記載の蓋付き容器。
【請求項４】
前記容器本体および前記蓋体は、互いの当接部近傍が部分的に外部方向に膨出形成された膨出部を有し、前記マグネット部および前記吸着部は、双方の前記膨出部に固定された請求項１記載の蓋付き容器。
【請求項５】
前記吸着部は、前記マグネット部とほぼ同形状の当接面形状を有する請求項１〜４いずれか１記載の蓋付き容器。
【請求項６】
前記容器本体は、前記端面側にて収納凹部を延長させるガイド筒部を立設させてなり、前記蓋体は、前記ガイド筒部に嵌って前記容器本体に当接するよう形成された請求項１〜５いずれか１記載の蓋付き容器。
【請求項７】
前記蓋体は、前記容器本体の収納凹部に嵌るガイド筒部を立設させてなる請求項１〜５いずれか１記載の蓋付き容器。
【発明の詳細な説明】
【技術分野】
【０００１】
本発明は蓋付き容器に係り、例えば細長い日用品を収納する筒型の蓋付き容器の改良に関する。
【背景技術】
【０００２】
筒型の蓋付き容器としては、図示はしないが、筒形に形成された容器本体の一方の端面側から収納凹部を形成し、筒型の蓋体を収納凹部を覆って容器本体に着脱自在に被せてなる構成が良く知られている。
【０００３】
そして、蓋付き容器では、容器本体の収納凹部に、食卓で使用する楊子やはし、更に、印鑑、線香その他、種々の細長い日用品を収納し、蓋体を被せて保管するようになっている。
【０００４】
ところで、この種の一般的な技術としては、例えば特開２０００−２３８１７号公報（特許文献１）がある。
【特許文献１】特開２０００−２３８１７号公報
【発明の開示】
【発明が解決しようとする課題】
【０００５】
しかしながら、上述した蓋付き容器では、容器本体や蓋体の外形形状が横断面形状で楕円や角形になっていると、容器本体に蓋体を被せたとき、容器本体と蓋体の外形形状が揃わないと、外観品位が低下するから、容器本体に被せた蓋体を容器本体に対して回転させ、容器本体と蓋体の外形形状を揃える必要があり、使い勝手を向上させるには、更なる工夫が必要である。
【０００６】
本発明はそのような課題を解決するためになされたもので、容器本体に被せた蓋体を容器本体の外形形状を揃えることが容易で、構成も簡単な蓋付き容器の提供を目的とする。
【課題を解決するための手段】
【０００７】
そのような課題を解決するために本発明の請求項１に係る蓋付き容器は、非磁性体性材料から横断面が非円形の筒形に形成された容器本体であって、一方の端面側から形成された収納凹部を有し、その端面側に１個以上のマグネット部が固定された容器本体と、横断面が非円形の筒形に形成された蓋体であって、その収納凹部を覆って一方の端面を容器本体に当接するようにして被せられたとき、その容器本体の外形に揃う位置で前記マグネット部に吸着する強磁性体の吸着部が固定され、着脱可能にその収納凹部を覆う蓋体と、を具備している。
【０００８】
本発明の請求項２に係る蓋付き容器は、上記容器本体および蓋体が、角柱状に形成された構成を有している。
【０００９】
本発明の請求項３に係る蓋付き容器は、上記マグネット部および吸着部が、双方の端面側において、外形角部近傍に固定された構成を有している。
【００１０】
本発明の請求項４に係る蓋付き容器は、上記容器本体および蓋体が、互いの当接部近傍が部分的に外部方向に膨出形成された膨出部を有し、上記マグネット部および吸着部が、双方の膨出部に固定された構成を有している。
【００１１】
本発明の請求項５に係る蓋付き容器は、上記吸着部が、そのマグネット部とほぼ同形状の当接面形状を有する構成を有している。
【００１２】
本発明の請求項６に係る蓋付き容器は、上記容器本体が、その端面側にて収納凹部を延長させるガイド筒部を立設させてなり、上記蓋体が、そのガイド筒部に嵌って容器本体に当接するよう形成されている。
【００１３】
本発明の請求項７に係る蓋付き容器は、上記蓋体が、その容器本体の収納凹部に嵌るガイド筒部を立設させてなる構成を有している。
【発明の効果】
【００１４】
このような本発明の請求項１に係る蓋付き容器では、横断面が非円形の筒形の容器本体に一方の端面側から収納凹部を形成し、その端面側に１個以上のマグネット部を固定し、横断面が非円形の筒形蓋体を容器本体に当接するようにして被せたとき、その容器本体の外形に揃う位置でマグネット部に吸着する強磁性体の吸着部をその蓋体に固定したから、それらマグネット部と吸着部とを吸着させれば、容器本体に被せた蓋体を容器本体の外形形状を揃えることが容易で、構成も簡単である。
【００１５】
本発明の請求項２に係る蓋付き容器では、上記容器本体および蓋体が、角柱状に形成されていても、特に、外形形状を揃え易い。
【００１６】
本発明の請求項３に係る蓋付き容器では、上記マグネット部および吸着部が、双方の端面側において、外形角部近傍に固定されているから、マグネット部や吸着部を配置し易い。
【００１７】
本発明の請求項４に係る蓋付き容器では、上記容器本体および蓋体が、互いの当接部近傍が部分的に外部方向に膨出形成された膨出部を有し、上記マグネット部および吸着部が双方の膨出部に固定されれば、マグネット部や吸着部を配置し易い。
【００１８】
本発明の請求項５に係る蓋付き容器では、上記吸着部が、そのマグネット部とほぼ同形状の当接面形状を有するから、それらマグネット部と吸着部との吸着状態を解除し、蓋体を外し易い。
【００１９】
本発明の請求項６に係る蓋付き容器では、上記容器本体が、その端面側にて収納凹部を延長させるガイド筒部を立設させてなり、上記蓋体が、そのガイド筒部に嵌って容器本体に当接するよう形成されているから、蓋体を容器本体に被せ易い。
【００２０】
本発明の請求項７に係る蓋付き容器では、上記蓋体が、その容器本体の収納凹部に嵌るガイド筒部を立設させてなる構成を有しているから、蓋体を容器本体に被せ易い。
【発明を実施するための最良の形態】
【００２１】
以下、本発明の実施の形態を図面を参照して説明する。
【００２２】
図１および図２は本発明に係る蓋付き容器の実施の一形態を示す分解斜視図および断面図である。
【００２３】
図１および図２において、容器本体１は、非磁性体性材料、例えば木材から横断面五角柱状にして細長い長尺状に切削加工されている。
【００２４】
容器本体１を縦置きした状態で、容器本体１は、一方の端面（図中上端面）３中央部から円柱状の細長い収納凹部５が下方に向けて形成されるとともに、上方向に円筒状のガイド筒体７が一体的に突設され、収納凹部５が上方向に延長形成されている。
【００２５】
収納凹部５は横断面円形に限定されず、円形、楕円、角形等種々の形状が可能である。
【００２６】
収納凹部５には、例えば食卓で使用する楊子やはし、更に、印鑑、線香その他、種々の細長い日用品（何れも図示せず。）が収納される。
【００２７】
容器本体１の上端面３において、容器本体１の外周角部Ｐとガイド筒体７付け根との間には、短い円柱状のマグネット部９ａ、９ｂが２個、当該端面を上端面３に露出するように、１個以上の外周角部Ｐを間に置いて埋設固定されている。
【００２８】
容器本体１は、横断面五角柱状に形成されているから、図３に示すように、容器本体１の外周角部Ｐとガイド筒体７付け根との間は、それ以外の部分より大きな領域スペースが５箇所あり、５箇所のうち離れた２箇所にマグネット部９ａ、９ｂが埋設固定されている。
【００２９】
マグネット部９ａ、９ｂは、図４に示すように、軸方向の対向端面側が異極（Ｎ極、Ｓ極）となるよう着磁されたマグネットであり、２個のマグネット部９ａ、９ｂでは、上端面３に露出する端面が互いに異極、すなわち、マグネット部９ａにおける上端面３に露出する端面がＳ極に、マグネット部９ｂにおける上端面３に露出する端面がＮ極に着磁されている。
【００３０】
蓋体１１は、非磁性体性材料、例えば容器本体１と同様の木材から容器本体１の横断面形状と同じ外形の形状および寸法で横断面五角柱状に形成されており、一方の端面（図中下端面）１３から、円柱状の細長い凹部１５が形成されている。
【００３１】
蓋体１１の凹部１５は、容器本体１のガイド筒体７に嵌って下端面１３が容器本体１の上端面３に当接するような内径と軸方向寸法を有している。
【００３２】
蓋体１１の凹部１５を容器本体１のガイド筒体７に嵌めて下端面１３を上端面３に当接させ、適当に蓋体１１を回転させれば、容器本体１と蓋体１１が一体的な五角柱体になる。
【００３３】
蓋体１１の下端面１３には、容器本体１と蓋体１１が一体的な五角柱体になる状態で、マグネット部９ａ、９ｂと揃う位置（１個以上の外周角部Ｐ’を間に置いた位置）に、当該マグネット部９ａ、９ｂに吸着される強磁性体からなる短い円柱状の吸着部１７ａ、１７ｂが埋設固定されている。
【００３４】
蓋体１１の下端面１３は、図３に示すように、蓋体１１の外周角部Ｐ’と凹部１５との間は、それ以外の部分より大きな領域スペースが容器本体１と同様に５箇所あり、５箇所のうち離れた２箇所に吸着部１７ａ、１７ｂが埋設固定されている。
【００３５】
吸着部１７ａ、１７ｂは、図４に示すように、軸方向の対向端面側が異極（Ｎ極、Ｓ極）となるよう着磁されるとともに、２個の吸着部１７ａ、１７ｂでは、下端面１３に露出する端面が互いに異極、すなわち、吸着部１７ａにおける上端面３に露出する端面がＮ極に、吸着部１７ｂにおける下端面１３に露出する端面がＳ極に着磁されている。
【００３６】
蓋体１１は、吸着部１７ａとマグネット部９ａ、吸着部１７ｂとマグネット部９が吸着されたとき、当該蓋体１１が容器本体１の外周面に１箇所で揃うようにして、嵌合部９に収納されるようになっている。
【００３７】
マグネット部９ａ、９ｂおよび吸着部１７ａ、１７ｂは、平面的には容器本体１の上端面１３や蓋体１１の下端面１３から突出しないように配置されている。
【００３８】
次に、本発明に係る蓋付き容器の使用例を簡単に説明する。
【００３９】
収納凹部５を上に向けて容器本体１を縦置きした状態で、当該収納凹部５に例えば「印鑑」を収納し、蓋体１１の凹部１５を容器本体１のガイド筒体７に嵌める。
【００４０】
その後、蓋体１１を回転させれば、吸着部１７ａとマグネット部９ａ、吸着部１７ｂとマグネット部９ｂが吸着されたとき、蓋体１１が容器本体１に仮固定されて蓋体１１が容器本体１の外周面に揃い、容器本体１と蓋体１１が一体的な五角柱体になる。
【００４１】
吸着部１７ｂとマグネット部９ａ、吸着部１７ｂとマグネット部９ａが近接する状態では互いに反発するから、蓋体１１が容器本体１に固定されない。
【００４２】
すなわち、容器本体１のマグネット部９ａ、９ｂおよび蓋体１１の吸着部１７ａ、１７ｂが蓋体１１の容器本体１に対する位置決め部材として機能する。
【００４３】
なお、蓋体１１を回転させたり容器本体１から引き抜けば、吸着部１７ａ、１７ｂのマグネット部９ａ、９ｂへの吸着状態が解除され、蓋体１１を容器本体１から外すことができる。
【００４４】
このように、本発明の蓋付き容器は、非磁性体性材料から横断面が五角柱状の筒形に形成された容器本体１であって、一方の端面側から形成された収納凹部５を有し、その端面側に１個以上のマグネット部９ａ、９ｂを外形角部近傍に固定した容器本体１と、横断面がその容器本体１と同じ五角柱状の筒形に形成された蓋体１１であって、その収納凹部５を覆って一方の端面を容器本体１に当接するようにして被せられたとき、その容器本体１の外形に揃う位置でマグネット部９ａ、９ｂに吸着する強磁性体の吸着部１７ａ、１７ｂが固定され、着脱可能にその収納凹部５を覆う蓋体１１とを具備している。
【００４５】
そのため、蓋体１１を容器本体１に被せて回転させれば、マグネット部９ａ、９ｂと吸着部１７ａ、１７ｂが吸着する１箇所の位置で、容器本体１と蓋体１１が一体的な五角柱体になり、容器本体１に被せた蓋体１１を容器本体１の外形形状を揃え、外観品位を良好に保つことが容易で、構成も簡単である。
【００４６】
しかも、容器本体１に設けたガイド筒体７に対して、蓋体１１がそれに嵌って容器本体１に被せられるから、蓋体１１を容器本体１に被せ易い。
【００４７】
さらに、マグネット部９ａ、９ｂおよび吸着部１７ａ、１７ｂが双方の端面において、外形角部近傍に固定されているから、マグネット部９ａ、９ｂと吸着部１７ａ、１７ｂの配置スペースが広く、それらを配置し易いし、吸着部１７ａ、１７ｂが、マグネット部９ａ、９ｂとほぼ同形状の当接面形状を有するから、それらマグネット部９ａ、９ｂと吸着部１７ａ、１７ｂとの吸着状態を解除し易くなり、蓋体１１を外し易い。
【００４８】
ところで、本発明の蓋付き容器においては、容器本体１および蓋体１１の横断面外形形状は、上述したように、五角柱状に限定されず、三角形、四角形、六角形等の角柱状又は楕円形状であっても良い。
【００４９】
さらに、容器本体１および蓋体１１の横断面外形形状は、図６に示すように、容器本体１および蓋体１１にあって、互いの当接部近傍が部分的に外部方向に膨出形成された膨出部１９、２１を一体的に対角位置に形成した形状も可能である。膨出部１９、２１の対角位置の他方は隠れて見えない。
【００５０】
なお、マグネット部９ａ、９ｂと吸着部１７ａ、１７ｂは、容器本体１および蓋体１１の膨出部１９、２１に固定すれば良い。
【００５１】
要は、容器本体１および蓋体１１は、横断面外形形状が非円形の筒形に形成されていれば良く、容器本体１および蓋体１１にあって互いの当接部近傍が部分的にでも横断面が非円形に形成されていれば、本発明の目的達成が可能である。
【００５２】
さらに、本発明の蓋付き容器においては、図示はしないが、ガイド筒体７を省略し、容器本体１の収納凹部５に嵌るガイド筒部を立設させ、ガイド筒体７を収納凹部５に嵌る構成も可能である。
【００５３】
また、本発明の蓋付き容器では、マグネット部９ａ、９ｂを容器本体１のガイド筒体７に配置し、吸着部１７ａ、１７ｂを蓋体１１にあってガイド筒体７に当接する部分に固定する構成、更に、マグネット部９ａ、９ｂを収納凹部５の内壁に固定し、吸着部１７ａ、１７ｂを蓋体１１のガイド筒部外周部分に固定する構成も可能である。
【００５４】
このように、マグネット部９ａ、９ｂは、容器本体１および蓋体１１の上端面３側、すなわち上端面３のみならず、ガイド筒体７やこの先端面、膨出部１９等に配置固定されていれば良く、吸着部１７ａ、１７ｂもそれらマグネット部９ａ、９ｂに吸着する位置に配置固定すれば良い。
【００５５】
なお、本発明の蓋付き容器では、ガイド筒体７を省略し、上端面３および下端面１３のみを当接させる構成も可能であるし、蓋体１１を容器本体１の外周にキャップ状に被せる構成も可能である。
【００５６】
しかも、上述した本発明において、マグネット部９ａ、９ｂに吸着される吸着部１７ａ、１７ｂは、マグネット部９ａ、９ｂと同様にマグネットで形成したが、これに吸着される強磁性体、例えば鋼鉄材料で形成しても良い。
【００５７】
もっとも、本発明の蓋付き容器では、容器本体１のマグネット部９ａ、９ｂと蓋体１１の吸着部１７ａ、１７ｂについて、蓋体１１の回転方向に、１箇所でマグネット部９ａ、９ｂと蓋体１１の吸着部１７ａ、１７ｂが吸着するよう、マグネット部９ａ、９ｂと蓋体１１の吸着部１７ａ、１７ｂを配置したり、着磁させることが好ましい。
【００５８】
さらに、本発明の蓋付き容器では、収納凹部５内に複数の日用品を入れることが可能である。
【００５９】
例えば、図７に示すように、図示しない「はし」とともに、この備品である円弧状板のはし置き２３を収納することも可能であり、はし置き２３を収納凹部５の内径や深さに合わせて形成すれば良い。
【図面の簡単な説明】
【００６０】
【図１】本発明に係る蓋付き容器の実施の形態を示す分解斜視図である。
【図２】本発明に係る蓋付き容器を示す断面図（図３中のＩＩ−ＩＩ間断面）である。
【図３】本発明に係る蓋付き容器における容器本体の平面図および蓋体の底面図である。
【図４】本発明に係る蓋付き容器のマグネット部および吸着部を示す斜視図である。
【図５】本発明に係る蓋付き容器の使用例を示す図である。
【図６】本発明に係る蓋付き容器の他の実施の形態を示す斜視図である。
【図７】本発明に係る蓋付き容器に収納する備品の例を示す斜視図である。
【符号の説明】
【００６１】
１  容器本体
３  上端面
５  収納凹部
７  ガイド筒体
９ａ、９ｂ  マグネット部
１１  蓋体
１３  下端面
１５  凹部
１７ａ、１７ｂ  吸着部
１９、２１  膨出部
２３  備品（はし置き）
Ｐ、Ｐ’  角部
【図１】
2010116187.tif 000003
【図２】
2010116187.tif 000004
【図３】
2010116187.tif 000005
【図４】
2010116187.tif 000006
【図５】
2010116187.tif 000007
【図６】
2010116187.tif 000008
【図７】
2010116187.tif 000009